(57)【特許請求の範囲】
【請求項１】
鍵盤部が設けられた楽器本体と、
この楽器本体にスライド可能に設けられて前記鍵盤部を開閉可能に覆うと共に、前記楽器本体内にスライドして収納される鍵盤蓋と、
前記楽器本体上に上下方向に回転可能に取り付けられた譜面立て部材と、
この譜面立て部材が前記楽器本体上に横倒して配置された際に前記譜面立て部材を係脱可能に係止し、前記楽器本体内に前記鍵盤蓋が収納された際にこの収納された鍵盤蓋によって前記譜面立て部材に対する係止を解除するロック部材と
を備えていることを特徴とする鍵盤楽器の譜面立て構造。
【請求項２】
前記譜面立て部材は、前記楽器本体上に設けられた固定軸に上下方向に回転可能に取り付けられていると共に、ばね部材によって前記楽器本体上に起立する方向に向けて付勢されていることを特徴とする請求項１に記載の鍵盤楽器の譜面立て構造。
【請求項３】
前記ロック部材は、前記楽器本体内に設けられた支持軸に回転可能に取り付けられ、その一端部に設けられたフック部が前記譜面立て部材を係脱可能に係止し、他端部に設けられた当接突起が前記鍵盤蓋によって押された際に、前記支持軸を中心に回転して前記フック部による前記譜面立て部材に対する係止を解除することを特徴とする請求項１または請求項２に記載の鍵盤楽器の譜面立て構造。
【請求項４】
前記ロック部材は、前記楽器本体内に設けられた保持部材に前記楽器本体の前後方向にスライド可能に取り付けられ、その一端部に設けられたフック部が前記譜面立て部材を係脱可能に係止し、他端部に設けられた当接突起が前記鍵盤蓋によって押された際に、スライドして前記フック部による前記譜面立て部材に対する係止を解除することを特徴とする請求項１または請求項２に記載の鍵盤楽器の譜面立て構造。
【請求項５】
前記ロック部材の前記フック部が前記譜面立て部材を係止する方向に向けて前記ロック部材を付勢するばね部材を備えていることを特徴とする請求項３または請求項４に記載の鍵盤楽器の譜面立て構造。
【請求項６】
前記鍵盤蓋には、前記ロック部材によるロックを解除させるロック解除部と、前記ロック部材によるロックを解除しない非ロック解除部とを有するロック解除選択部材が、前記鍵盤蓋のスライド方向と直交する方向に移動可能に設けられていることを特徴とする請求項１〜請求項５のいずれかに記載の鍵盤楽器の譜面立て構造。
【発明の詳細な説明】
【技術分野】
【０００１】
この発明は、電子ピアノや電子オルガンなどの鍵盤楽器の譜面立て構造に関する。
【背景技術】
【０００２】
従来、鍵盤楽器においては、特許文献１に記載されているように、楽器本体内に設けられた鍵盤部を開閉可能に覆う鍵盤蓋を備え、この鍵盤蓋がスライドして楽器本体内に収納されて鍵盤部を開放した際に、この鍵盤蓋上に譜面立て部材を起立させるように構成されたものが知られている。
【先行技術文献】
【特許文献】
【０００３】
【特許文献１】特開平１０−２６９７４号公報
【０００４】
この種の鍵盤楽器の譜面立て構造は、鍵盤蓋上に譜面立て部材を上下方向に回転可能に取り付け、鍵盤蓋をスライドさせて楽器本体内に収納する前に、譜面立て部材を上方に回転させて鍵盤蓋上に起立させ、この状態で鍵盤蓋をスライドさせて譜面立て部材の裏面を楽器本体の上部に位置する天板の前端部に当接させることにより、譜面立て部材を起立させた状態で保持するように構成されている。
【発明の概要】
【発明が解決しようとする課題】
【０００５】
しかしながら、このような従来の鍵盤楽器における譜面立て構造では、鍵盤蓋をスライドさせて楽器本体内に収納する前に、譜面立て部材を鍵盤蓋上に起立させ、この状態で鍵盤蓋をスライドさせなければならないため、鍵盤蓋および譜面立て部材の操作が煩雑で、操作性が悪いばかりか、鍵盤蓋を閉じた際に譜面立て部材が鍵盤蓋上に常に露出して配置されているため、鍵盤楽器として、不自然で違和感があり、外観的にもデザイン的にも好ましくないという問題がある。
【０００６】
この発明が解決しようとする課題は、譜面立て部材および鍵盤蓋の操作性が良く、外観的にもデザイン的にも好ましい鍵盤楽器の譜面立て構造を提供することである。
【課題を解決するための手段】
【０００７】
この発明は、上記課題を解決するために、次のような構成要素を備えている。
請求項１に記載の発明は、鍵盤部が設けられた楽器本体と、この楽器本体にスライド可能に設けられて前記鍵盤部を開閉可能に覆うと共に、前記楽器本体内にスライドして収納される鍵盤蓋と、前記楽器本体上に上下方向に回転可能に取り付けられた譜面立て部材と、この譜面立て部材が前記楽器本体上に横倒して配置された際に前記譜面立て部材を係脱可能に係止し、前記楽器本体内に前記鍵盤蓋が収納された際にこの収納された鍵盤蓋によって前記譜面立て部材に対する係止を解除するロック部材とを備えていることを特徴とする鍵盤楽器の譜面立て構造である。
【０００８】
請求項２に記載の発明は、前記譜面立て部材が、前記楽器本体上に設けられた固定軸に上下方向に回転可能に取り付けられていると共に、ばね部材によって前記楽器本体上に起立する方向に向けて付勢されていることを特徴とする請求項１に記載の鍵盤楽器の譜面立て構造である。
【０００９】
請求項３に記載の発明は、前記ロック部材が、前記楽器本体内に設けられた支持軸に回転可能に取り付けられ、その一端部に設けられたフック部が前記譜面立て部材を係脱可能に係止し、他端部に設けられた当接突起が前記鍵盤蓋によって押された際に、前記ロック部材が前記支持軸を中心に回転して前記フック部による前記譜面立て部材に対する係止を解除することを特徴とする請求項１または請求項２に記載の鍵盤楽器の譜面立て構造である。
【００１０】
請求項４に記載の発明は、前記ロック部材が、前記楽器本体内に設けられた保持部材に前記楽器本体の前後方向にスライド可能に取り付けられ、その一端部に設けられたフック部が前記譜面立て部材を係脱可能に係止し、他端部に設けられた当接突起が前記鍵盤蓋によって押された際に、前記ロック部材がスライドして前記フック部による前記譜面立て部材に対する係止を解除することを特徴とする請求項１または請求項２に記載の鍵盤楽器の譜面立て構造である。
【００１１】
請求項５に記載の発明は、前記ロック部材の前記フック部が前記譜面立て部材を係止する方向に向けて前記ロック部材を付勢するばね部材を備えていることを特徴とする請求項３または請求項４に記載の鍵盤楽器の譜面立て構造である。
【００１２】
請求項６に記載の発明は、前記鍵盤蓋に、前記ロック部材によるロックを解除させるロック解除部と、前記ロック部材によるロックを解除しない非ロック解除部とを有するロック解除選択部材が、前記鍵盤蓋のスライド方向と直交する方向に移動可能に設けられていることを特徴とする請求項１〜請求項５のいずれかに記載の鍵盤楽器の譜面立て構造である。
【発明の効果】
【００１３】
この発明によれば、楽器本体内に鍵盤蓋をスライドさせて収納すると、この収納された鍵盤蓋によってロック部材が楽器本体上に配置された譜面立て部材に対する係止を解除するので、譜面立て部材を簡単に且つ容易に楽器本体上に回転させて起立させることができる。また、鍵盤蓋をスライドさせて鍵盤部を覆った際には、譜面立て部材を楽器本体上に横倒させた状態で配置することができるので、譜面立て部材を楽器本体上に、自然な状態で違和感がなく、良好に配置することができる。このため、譜面立て部材および鍵盤蓋の操作性が良く、外観的にもデザイン的にも好ましい鍵盤楽器を提供することができる。
【図面の簡単な説明】
【００１４】
【図１】この発明を適用した鍵盤楽器の実施形態１を示した断面図である。
【図２】図１の鍵盤楽器において鍵盤蓋を閉じて譜面立て部材を収納した状態における一部を破断して示した平面図である。
【図３】図１の鍵盤楽器において鍵盤蓋を楽器本体に収納して譜面立て部材を起立させた状態を示した断面図である。
【図４】図１の鍵盤楽器におけるＡ部を示した拡大断面図である。
【図５】図４のロック部材において楽器本体内に収納された鍵盤蓋に設けられたロック解除選択部材によってロックが解除された状態を示した拡大断面図である。
【図６】図４のロック部材において楽器本体内に収納された鍵盤蓋に設けられたロック解除選択部材によってロックが解除されない状態を示した拡大断面図である。
【図７】図２の鍵盤蓋の後部を示した拡大斜視図である。
【図８】図７の鍵盤蓋の後部とこれに取り付けられるロック解除選択部材とを示した分解斜視図である。
【図９】図８のロック解除選択部材を示し、（ａ）はその平面図、（ｂ）はその側面図、（ｃ）はその正面図である。
【図１０】この発明を適用した鍵盤楽器の実施形態２を示した断面図である。
【図１１】図１０の鍵盤楽器において鍵盤蓋を楽器本体に収納して譜面立て部材を起立させた状態を示した断面図である。
【図１２】図１０の鍵盤楽器におけるＢ部を示した拡大断面図である。
【図１３】図１２のロック部材を示した拡大図である。
【図１４】図１３のロック部材を前側から見た拡大正面図である。
【図１５】図１２のロック部材において楽器本体内に収納された鍵盤蓋に設けられたロック解除選択部材によってロックが解除された状態を示した拡大断面図である。
【図１６】図１２のロック部材において楽器本体内に収納された鍵盤蓋に設けられたロック解除選択部材によってロックが解除されない状態を示した拡大断面図である。
【発明を実施するための形態】
【００１５】
（実施形態１）
以下、図１〜図９を参照して、この発明を適用した鍵盤楽器の実施形態１について説明する。
この鍵盤楽器は、図１に示すように、楽器本体１を備えている。この楽器本体１は、底板２を備えている。この底板２の前端部（図１では左端部）には、前板３が起立して設けられており、この底板２の後端部（図１では右端部）には、後板４が起立して設けられている。また、この底板２の両側部（図２では左右両側）には、図１および図２に示すように、一対の側板５が起立して設けられている。
【００１６】
この一対の側板５は、その前後方向（図１では左右方向）における中間部よりも後側に位置する後部が後板４と同じ高さに形成され、中間部よりも前側に位置する前部が前側（図１では左側）に向けて傾斜し、この傾斜した前端部が前板３とほぼ同じ高さに形成されている。また、この一対の側板５の後部および後板４における各上部には、天板６が設けられている。これにより、楽器本体１は、天板６の前側が上方に開放されたほぼ箱形状に形成されている。
【００１７】
この楽器本体１内には、図１および図３に示すように、鍵盤部７が上方に露出可能な状態で設けられている。この鍵盤部７は、楽器本体１内の底板２上における前部側（図１では左側）に配置された鍵盤シャーシ８と、この鍵盤シャーシ８上に上下方向に回転可能に配置された複数の鍵９と、この複数の鍵９の押鍵操作に応じて各鍵９にアクション荷重を付与する複数のハンマー部材１０と、複数の鍵９の各押鍵操作に応じてそれぞれスイッチ信号を出力するスイッチ部１１とを備えている。
【００１８】
この場合、複数の鍵９は、図１および図３に示すように、白鍵および黒鍵からなり、これらが音階順に配列されている。複数のハンマー部材１０は、複数の鍵９の下側にそれぞれ対応した状態で、鍵盤シャーシ８にそれぞれ上下方向に回転可能に取り付けられている。このハンマー部材１０は、各鍵９の押鍵操作に応じてそれぞれ押し下げられる際に、各ハンマー部材１０の重量に抗して回転することにより、各鍵９にそれぞれアクション荷重を付与するように構成されている。
【００１９】
また、この楽器本体１には、図１〜図３に示すように、鍵盤部７の上方を開閉可能に覆う鍵盤蓋１２がスライド可能に設けられている。この鍵盤蓋１２は、その前端部が前側ガイド１３によって楽器本体１の前後方向にガイドされ、後端部が後側ガイド部１４によって楽器本体１の前後方向にガイドされるように構成されている。
【００２０】
この場合、前側ガイド部１３は、図１および図３に示すように、鍵盤蓋１２の前端下部に設けられたガイド軸１５を支持しながらガイドするガイド溝であり、楽器本体１の側板５の内面に設けられている。すなわち、この前側ガイド部１３は、鍵盤部７の前端部に対応する側板５の箇所から斜め上方に向けて緩やかに湾曲して鍵盤部７の後部上方に位置する側板５の箇所、つまり天板６の前端部の下側に位置する側板５の箇所に亘って連続して設けられている。
【００２１】
また、後側ガイド部１４は、図１および図３に示すように、鍵盤蓋１２の後端下部に設けられたピニオンギア１６を回転可能に支持しながらガイドするラックギア１４ａを備え、楽器本体１の側板５の内面に設けられている。すなわち、この後側ガイド部１４は、鍵盤部７の後部上方に対応する側板５の箇所から斜め下方に向けて僅かに傾斜して楽器本体１内の後部に対応する側板５の箇所に亘って連続して設けられている。
【００２２】
これにより、鍵盤蓋１２は、図１に示すように、前端下部のガイド軸１５が前側ガイド部１３によって前側に向けてガイドされて前側ガイド部１３の前端部に位置すると共に、後端下部のピニオンギア１６が後側ガイド部１４のラックギア１４ａに噛み合って回転しながら前側に向けて移動して後側ガイド部１４の前端部に位置した際に、鍵盤部７の上方に配置されて鍵盤部７を覆うように構成されている。
【００２３】
また、この鍵盤蓋１２は、図３に示すように、前端下部のガイド軸１５が前側ガイド部１３によって後側に向けてガイドされて前側ガイド部１３の後端部に位置すると共に、後端下部のピニオンギア１６が後側ガイド部１４のラックギア１４ａに噛み合って回転しながら後側に向けて移動して後側ガイド部１４の後端部に位置した際に、天板６の下側に対応した状態で楽器本体１内に収納されるように構成されている。
【００２４】
ところで、楽器本体１の天板６上には、図１〜図３に示すように、譜面立て部材１８が起立横倒可能な状態、つまり上下方向に回転可能な状態で設けられている。この譜面立て部材１８は、図２に示すように、ほぼ長方形の平板状に形成されている。また、天板６の上面には、図１および図２に示すように、譜面立て部材１８を挿脱可能に収納する収納凹部１９が上方に開放されて設けられている。
【００２５】
譜面立て部材１８は、図１および図３に示すように、その前端部（図１では左端部）が収納凹部１９内に設けられた固定軸２０に上下方向に回転自在に取り付けられている。また、この譜面立て部材１８は、収納凹部１９内に設けられた板ばね２１によって起立する方向、つまり固定軸２０を中心に上方に向けて回転する方向に付勢されている。これにより、譜面立て部材１８は、板ばね２１のばね力に抗して下側に回転して横倒することにより、天板６の収納凹部１９内に配置されるように構成されている。
【００２６】
一方、楽器本体内における後側上部には、図４〜図６に示すように、天板６の収納凹部１９内に横倒して収納された譜面立て部材１８を係脱可能に係止するロック部材２２が設けられている。このロック部材２２は、楽器本体１内に設けられた支持軸２３に回転可能に取り付けられ、その上端部に設けられたフック部２２ａが譜面立て部材１８を係脱可能に係止し、下端部に設けられた当接突起２２ｂが鍵盤蓋１２によって押された際に、支持軸２３を中心に回転して上端部のフック部２２ａによる譜面立て部材１８に対する係止を解除するように構成されている。
【００２７】
すなわち、このロック部材２２は、図４〜図６に示すように、上端部のフック部２２ａが天板６に設けられた貫通孔６ａを通して天板６の収納凹部１９内に突出し、この突出したフック部２２ａが譜面立て部材１８に設けられた係合ピン２４を係脱可能に係止するように構成されている。この場合、譜面立て部材１８には、ロック部材２２のフック部２２ａが挿入する挿入凹部１８ａが設けられており、この挿入凹部１８ａ内における後部（図４では右側）には、係合ピン２４が設けられている。
【００２８】
また、このロック部材２２は、図４〜図６に示すように、ばね部材２５によって上端部のフック部２２ａが譜面立て部材１８の係合ピン２４を係止する方向（図４では時計回り方向）に向けて付勢されている。すなわち、このばね部材２５は、コイルばねであり、一端部（図４では右端部）が楽器本体１内の後部に取り付けられ、他端部（図４では左端部）がロック部材２２における支持軸２３の上方に位置する箇所に取り付けられ、この状態でロック部材２２を時計回りに回転させるように構成されている。
【００２９】
ところで、鍵盤蓋１２の後端部（図２では上辺部）におけるロック部材２２と対応する箇所には、図２および図７に示すように、ロック解除選択部材２６が、鍵盤蓋１２のスライド方向と直交する方向、つまり鍵盤蓋１２の後端部に沿って移動可能に設けられている。このロック解除選択部材２６は、図７〜図９に示すように、金属板を断面コ字形状に折り曲げたものであり、その上部における内面には、一対のガイド突起２７が設けられている。
【００３０】
このロック解除選択部材２６は、鍵盤蓋１２の後端部に嵌め込まれて、一対のガイド突起２７が鍵盤蓋１２の上面に設けられた一対のガイド溝２８に挿入され、この状態で一対のガイド突起２７が一対のガイド溝２８に沿って鍵盤蓋１２のスライド方向と直交する方向に移動するように構成されている。この場合、鍵盤蓋１２の後端部における一対のガイド溝２８間に位置する箇所には、ロック部材２２の当接突起部２２ｂが挿入する切込み部２９が設けられている。
【００３１】
また、ロック解除選択部材２６は、鍵盤蓋１２の切込み部２９に対応してロック部材２２の当接突起部２２ｂが挿入することにより、ロック部材２２によるロックを解除しない非ロック解除部３０と、この非ロック解除部３０の両側に位置してロック部材２２の当接突起部２２ｂを押して移動させることにより、ロック部材２２によるロックを解除するロック解除部３１とが設けられている。
【００３２】
すなわち、非ロック解除部３０は、ロック解除選択部材２６の中間部に設けられた切込み部であり、ロック解除選択部材２６がスライドして鍵盤蓋１２の切込み部２９に対応した状態で、鍵盤蓋１２が楽器本体１内に収納されると、ロック部材２２の当接突起部２２ｂを鍵盤蓋１２の切込み部２９内に挿入させることにより、ロック部材２２を回転させないように構成されている。
【００３３】
また、ロック解除部３１は、ロック解除選択部材２６の切込み部である非ロック解除部３０の両側に位置し、ロック解除選択部材２６がスライドして鍵盤蓋１２の切込み部２９に対応して塞いだ状態で、鍵盤蓋１２が楽器本体１内に収納されると、ロック部材２２の当接突起部２２ｂを押圧して移動させることにより、ロック部材２２を回転させるように構成されている。
【００３４】
この場合、ロック解除選択部材２６は、図１および図２に示すように、鍵盤蓋１２が楽器本体１内から引き出されて鍵盤部７の上方に配置された際に、ロック解除選択部材２６の前端部が天板６の前端部の下側から楽器本体１の外部に露出することにより、楽器本体１の外部からスライド操作されるように構成されている。
【００３５】
次に、このような鍵盤楽器の動作について説明する。
鍵盤楽器を使用しない場合には、図１に示すように、鍵盤蓋１２を楽器本体１の前側に移動させて鍵盤部７の上方に配置する。このときには、鍵盤蓋１２の前端下部のガイド軸１５が前側ガイド部１３によって前側に向けてガイドされて前側ガイド部１３の前端部に位置すると共に、後端下部のピニオンギア１６が後側ガイド部１４のラックギア１４ａに噛み合って回転しながら前側に向けて移動して後側ガイド部１４の前端部に位置する。
【００３６】
これにより、鍵盤蓋１２が楽器本体１内から引き出されて鍵盤部７の上方に配置されて鍵盤部７を覆う。このときには、鍵盤蓋１２の後端部に設けられたロック解除選択部材２６がロック部材２２から離れた位置に配置される。この状態では、譜面立て部材１８を楽器本体１の天板６に設けられた収納凹部１９内に横倒させて収納することができる。すなわち、収納凹部１９内の固定軸２０を中心に譜面立て部材１８を板ばね２１のばね力に抗して下側（時計回り）に回転させることにより、譜面立て部材１８を天板６の収納凹部１９内に横倒させて収納する。
【００３７】
このときには、譜面立て部材１８に設けられた係合ピン２４がロック部材２２にロックされる。すなわち、譜面立て部材１８が収納凹部１９内に収納されるときには、譜面立て部材１８の挿入凹部１８ａ内にロック部材２２の上端部のフック部２２ａが相対的に挿入すると共に、この挿入凹部１８ａ内に設けられた係合ピン２４がロック部材２２のフック部２２ａをばね部材２５のばね力に抗して回転させて乗り越える。すると、ばね部材２５のばね力によってロック部材２２が時計回りに回転して、フック部２２ａが係合ピン２４を係止する。
【００３８】
次に、この鍵盤楽器を使用する場合について説明する。このときには、まず、鍵盤蓋１２のロック解除選択部材２６をスライドさせてロック解除部３１を鍵盤蓋１２の切込み部２９に対応させる。すなわち、ロック解除選択部材２６は、図７〜図９に示すように、非ロック解除部３０とロック解除部３１とを備えているため、ロック解除選択部材２６に設けられた一対のガイド突起２７を鍵盤蓋１２の切込み部２９の両側に設けられた一対のガイド溝２８に沿ってスライドさせることにより、ロック解除部３１を鍵盤蓋１２の切込み部２９に対応させて切込み部２９を塞いでおく。
【００３９】
この状態で、鍵盤蓋１２の前端部を持ち上げながら楽器本体１の後部に向けて移動させる。すると、鍵盤蓋１２は、前端下部のガイド軸１５が前側ガイド部１３によって後側に向けてガイドされて前側ガイド部１３の後端部に位置すると共に、後端下部のピニオンギア１６が後側ガイド部１４のラックギア１４ａに噛み合って回転しながら後側に向けて移動して後側ガイド部１４の後端部に位置した際に、天板６の下側に対応した状態で楽器本体１内に収納される。
【００４０】
このように鍵盤蓋１２が楽器本体１内に収納されると、図５に示すように、鍵盤蓋１２の後端部に設けられたロック解除選択部材２６がロック部材２２の当接突起２２ｂに当接してロック部材２２を反時計回りに回転させる。すなわち、ロック解除選択部材２６は、そのロック解除部３１が鍵盤蓋１２の後端部に設けられた切込み部２９を塞いだ状態で配置されているので、鍵盤蓋１２が楽器本体１内に収納されると、図５に示すように、ロック解除選択部材２６のロック解除部３１がロック部材２２の当接突起２２ｂに当接して、この当接突起２２ｂをばね部材２５のばね力に抗して押圧する。
【００４１】
すると、ロック部材２２が支持軸２３を中心に反時計回り回転する。これにより、図５に示すように、ロック部材２２の上端部のフック部２２ａが譜面立て部材１８の挿入凹部１８内に設けられた係合ピン２４から離脱し、ロック部材２２のフック部２２ａによる譜面立て部材１８の係合ピン２４に対するロックを解除する。すると、譜面立て部材１８は、図３に示すように、板ばね２１のばね力によって固定軸２０を中心に上方に向けて回転し、後方に傾いた状態で天板６上に起立する。
【００４２】
ところで、鍵盤蓋１２を楽器本体１内に収納しても、譜面立て部材１８を天板６上に起立させない場合には、予め、図７に示すように、鍵盤蓋１２のロック解除選択部材２６をスライドさせて非ロック解除部３０を鍵盤蓋１２の切込み部２９に対応させて、図６に示すように、ロック部材２２の当接突起２２ｂが非ロック解除部３０を通して鍵盤蓋１２の切込み部２９に挿入可能な状態にしておく。
【００４３】
この状態で、鍵盤蓋１２を楽器本体１内に収納すると、図６に示すように、鍵盤蓋１２のロック解除選択部材２６がロック部材２２に到達してもロック部材２２を回転させることがない。すなわち、鍵盤蓋１２が楽器本体１内に収納されると、ロック解除選択部材２６の非ロック解除部３０にロック部材２２の当接突起２２ｂが挿入して鍵盤蓋１２の切込み部２９内に挿入するので、ロック部材２２は回転することがない。
【００４４】
このため、ロック部材２２の上端部のフック部２２ａが譜面立て部材１８の挿入凹部１８内に設けられた係合ピン２４を係止したロック状態を維持するので、鍵盤蓋１２が楽器本体１内に収納されても、譜面立て部材１８は、板ばね２１のばね力によって固定軸２０を中心に回転して天板６上に起立することがなく、天板６の収納凹部１９内に収納された状態を維持する。
【００４５】
このように、この鍵盤楽器の譜面立て構造によれば、鍵盤部７が設けられた楽器本体１にスライド可能に設けられて鍵盤部７を開閉可能に覆うと共に楽器本体１内にスライドして収納される鍵盤蓋１２と、楽器本体１上に上下方向に回転可能に取り付けられた譜面立て部材１８と、この譜面立て部材１８が楽器本体１上に横倒して配置された際に譜面立て部材１８を係脱可能に係止し、楽器本体１内に鍵盤蓋１２が収納された際にこの収納された鍵盤蓋１２によって譜面立て部材１８に対する係止を解除するロック部材２２とを備えた構成であるから、譜面立て部材１８および鍵盤蓋１２の操作性が良く、外観的にもデザイン的にも好ましい鍵盤楽器を提供することができる。
【００４６】
すなわち、この鍵盤楽器の譜面立て構造では、楽器本体１内に鍵盤蓋１２をスライドさせて収納すると、この収納された鍵盤蓋１２によってロック部材２２が楽器本体１の天板６上に設けられた譜面立て部材１８に対する係止を解除するので、楽器本体１上に譜面立て部材１８を簡単に且つ容易に回転させて起立させることができる。
【００４７】
また、鍵盤蓋１２をスライドさせて鍵盤部７を覆った際には、譜面立て部材１８を楽器本体１の天板６上に横倒させて配置することができるので、譜面立て部材１８を楽器本体１上に自然な状態で違和感がなく、良好に配置することができる。このため、譜面立て部材１８および鍵盤蓋１２の操作性が良く、外観的にもデザイン的にも好ましいものを提供することができる。
【００４８】
この場合、譜面立て部材１８は、楽器本体１の天板６における収納凹部１９内に設けられた固定軸２０に上下方向に回転自在に取り付けられていると共に、板ばね２１によって起立する方向に付勢されているので、鍵盤蓋１２を楽器本体１内に収納して、ロック部材２２による譜面立て部材１８に対するロックを解除するだけで、板ばね２１のばね力によって譜面立て部材１８を自動的に天板６上に起立させることができる。また、鍵盤蓋１２を引き出して鍵盤部７上を覆った際には、板ばね２１のばね力に抗して譜面立て部材１８を横倒するだけ、天板６の収納凹部１９内に簡単に収納することができる。
【００４９】
また、この譜面立て構造では、ロック部材２２が楽器本体１内に設けられた支持軸２３に回転可能に取り付けられ、このロック部材２２の上端部に設けられたフック部２２ａが譜面立て部材１８の係合ピン２４を係脱可能に係止し、ロック部材２２の下端部に設けられた当接突起２２ｂが鍵盤蓋１２によって押された際に、ロック部材２２が支持軸２３を中心に回転してフック部２２ａによる譜面立て部材１８に対する係止を解除する構成であるから、簡単な構造で、天板６の収納凹部１９内に収納された譜面立て部材１８の係合ピン２４をロック部材２２のフック部２２ａによって係脱可能に係止して確実にロックすることができ、また鍵盤蓋１２をスライドさせて楽器本体１内に収納するだけで、ロック部材２２による譜面立て部材１８に対するロックを確実に解除することができる。
【００５０】
また、この譜面立て構造では、ロック部材２２の上端部のフック部２２ａが譜面立て部材１８の係合ピン２４を係止する方向に向けてロック部材２２を付勢するばね部材２５を備えているので、譜面立て部材１８を横倒させて楽器本体１の天板６の収納凹部１９内に収納した際に、譜面立て部材１８の係合ピン２４がロック部材２２のフック部２２ａをばね部材２５のばね力に抗して乗り越えることにより、ロック部材２２のフック部２２ａがばね部材２５のばね力によって譜面立て部材１８の係合ピン２４を確実に係止させることができ、これにより譜面立て部材１８の操作性が良いばかりか、譜面立て部材１８を楽器本体１の天板６の収納凹部１９内に収納した状態で確実に保持することができる。
【００５１】
さらに、この譜面立て構造では、鍵盤蓋１２にそのスライド方向と直交する方向に移動可能に設けられたロック解除選択部材２６が、ロック部材２２によるロックを解除させるロック解除部３１と、ロック部材２２によるロックを解除しない非ロック解除部３０とを備えているので、ロック解除選択部材２６をスライドさせて、ロック解除部３１と非ロック解除部３０とのいずれかを選択することにより、鍵盤蓋１２を楽器本体１内に収納した際に、譜面立て部材１８に対するロック部材２２によるロックを解除する状態とロックを解除しない状態とのいずれかを選択することができる。
【００５２】
すなわち、鍵盤蓋１２を楽器本体１内に収納した際に、譜面立て部材１８に対するロック部材２２によるロックを解除する場合には、ロック解除選択部材２６をスライドさせ、鍵盤蓋１２に設けられた切込み部２９にロック解除部３１を対応させて鍵盤蓋１２の切込み部２９をロック解除部３１で塞ぐことにより、鍵盤蓋１２を楽器本体１内に収納した際に、ロック解除部３１がロック部材２２の当接突起２２ｂに当接してロック部材２２を回転させることができ、これにより譜面立て部材１８に対するロック部材２２によるロックを解除することができる。
【００５３】
また、鍵盤蓋１２を楽器本体１内に収納した際に、譜面立て部材１８に対するロック部材２２によるロックを解除しない場合には、ロック解除選択部材２６をスライドさせ、鍵盤蓋１２に設けられた切込み部２９に非ロック解除部３０を対応させて鍵盤蓋１２の切込み部２９を開放させることにより、鍵盤蓋１２を楽器本体１内に収納した際に、ロック部材２２の当接突起２２ｂが非ロック解除部３０を通して鍵盤蓋１２の切込み部２９に挿入し、ロック部材２２が回転しないようにすることができ、これによりロック部材２２による譜面立て部材１８に対するロックを解除しないようにすることができる。
【００５４】
（実施形態２）
次に、図１０〜図１６を参照して、この発明を適用した鍵盤楽器の実施形態２について説明する。なお、図１〜図９に示された実施形態１と同一部分には同一符号を付して説明する。
この鍵盤楽器は、図１０および図１１に示すように、譜面立て部材１８をロックするロック部材４０が実施形態１と異なる構成であり、これ以外は実施形態１とほぼ同じ構成になっている。
【００５５】
すなわち、このロック部材４０は、図１０〜図１６に示すように、楽器本体１内に設けられた一対の保持部材４１間に鍵盤蓋１２のスライド方向に沿ってスライド可能に取り付けられ、上端部に設けられたフック部４０ａが譜面立て部材１８を係脱可能に係止し、下端部に設けられた当接突起４０ｂが鍵盤蓋１２によって押されてスライドした際に、上端部のフック部４０ａによる譜面立て部材１８に対する係止を解除するように構成されている。
【００５６】
この場合、一対の保持部材４１は、図１２〜図１６に示すように、楽器本体１内における後部（図１０では右側部）に、鍵盤蓋１２のスライド方向と直交する方向において互いに対向して設けられ、この互いに対向する部分における上下部に一対のガイド溝４２がそれぞれ鍵盤蓋１２のスライド方向に沿って細長く形成されている。
【００５７】
ロック部材４０は、図１４に示すように、一対の保持部材４１間に配置され、その上下方向における中間部に一対のガイド突起４３が左右に突出した状態で上下に位置して設けられ、この一対のガイド突起部４１が一対の保持部材４１の各ガイド溝４２内にスライド可能に挿入されて保持されるように構成されている。
【００５８】
また、このロック部材４０は、図１２および図１３に示すように、上端部のフック部４０ａが天板６に設けられた貫通孔６ａを通して天板６の収納凹部１９内に突出し、この突出したフック部４０ａが譜面立て部材１８に設けられた係合ピン２４を係脱可能に係止するように構成されている。この場合にも、譜面立て部材１８には、図１２に示すように、ロック部材２２のフック部２２ａが挿入する挿入凹部１８ａが設けられており、この挿入凹部１８ａ内における前部（図１２では左側）には、係合ピン２４が設けられている。
【００５９】
また、このロック部材４０は、図１２〜図１６に示すように、ばね部材４４によって上端部のフック部４０ａが譜面立て部材１８の係合ピン２４を係止する方向（図１２では左側）に向けて付勢されている。すなわち、このばね部材４４は、コイルばねであり、一端部（図１２では左端部）が楽器本体１内における一対の保持部材４１の前側（図１２では左側）に設けられた取付片４５に取り付けられ、他端部（図１２では右端部）がロック部材４０に取り付けられ、この状態でロック部材４０を楽器本体１の前側（図１２では左側）に向けて移動させるように構成されている。
【００６０】
次に、このようなロック部材４０の作用について説明する。
まず、このロック部材４０によって譜面立て部材１８をロックする場合には、図１０に示すように、楽器本体１の天板６上に設けられた収納凹部１９内の固定軸２０を中心に譜面立て部材１８を板ばね２１のばね力に抗して下側（時計回り）に回転させることにより、譜面立て部材１８を天板６の収納凹部１９内に横倒させて収納すると、譜面立て部材１８に設けられた係合ピン２４をロック部材４０がロックする。
【００６１】
すなわち、譜面立て部材１８が収納凹部１９内に収納されるときには、譜面立て部材１８の挿入凹部１８ａ内にロック部材４０の上端部のフック部４０ａが相対的に挿入すると共に、この挿入凹部１８ａ内に設けられた係合ピン２４がロック部材４０のフック部４０ａをばね部材４４のばね力に抗してスライドして乗り越える。すると、図１２に示すように、ロック部材２２がばね部材４４のばね力によって楽器本体１の前側に向けてスライドし、フック部４０ａが係合ピン２４を係止する。これにより、譜面立て部材１８が収納凹部１９内に収納されて保持される。
【００６２】
また、ロック部材４０による譜面立て部材１８のロックを解除する場合には、図１１に示すように、鍵盤蓋１２を楽器本体１内に収納させる。すると、収納された鍵盤蓋１２の後端部に設けられたロック解除選択部材２６のロック解除部３１が、ロック部材４０の下端部の当接突起４０ｂをばね部材４４のばね力に抗して押圧する。これにより、ロック部材４０が楽器本体１内の後方に向けてスライドし、ロック部材４０のフック部４０ａによる譜面立て部材１８のロックを解除する。
【００６３】
この場合には、実施形態１と同様、予め鍵盤蓋１２のロック解除選択部材２６をスライドさせてロック解除部３１を鍵盤蓋１２の切込み部２９に対応させる。この状態で、鍵盤蓋１２を楽器本体１内に収納すると、図１５に示すように、鍵盤蓋１２の後端部に設けられたロック解除選択部材２６のロック解除部３１がロック部材４０の当接突起４０ｂをばね部材４４のばね力に抗して楽器本体１内の後方（図１５では右側）に向けてスライドさせる。
【００６４】
すると、ロック部材４０のガイド突起４３が保持部材４１のガイド溝４２に沿って楽器本体１内の後部側にスライドする。これにより、図１５に示すように、ロック部材４０の上端部のフック部４０ａが譜面立て部材１８の挿入凹部１８内に設けられた係合ピン２４から離脱し、ロック部材４０のフック部４０ａによる譜面立て部材１８の係合ピン２４に対するロックを解除する。すると、譜面立て部材１８は、実施形態１と同様、板ばね２１のばね力によって固定軸２０を中心に回転して天板６上に起立する。
【００６５】
また、鍵盤蓋１２を楽器本体１内に収納しても、譜面立て部材１８を天板６上に起立させない場合には、実施形態１と同様、予め、鍵盤蓋１２のロック解除選択部材２６をスライドさせて非ロック解除部３０を鍵盤蓋１２の切込み部２９に対応させて、ロック部材４０の当接突起４０ｂが非ロック解除部３０を通して鍵盤蓋１２の切込み部２９に挿入可能な状態にしておく。
【００６６】
この状態では、図１６に示すように、鍵盤蓋１２を楽器本体１内に収納すると、ロック解除選択部材２６の非ロック解除部３０にロック部材４０の当接突起４０ｂが挿入して鍵盤蓋１２の切込み部２９に挿入するので、ロック部材４０がスライドすることがない。このため、ロック部材４０のフック部４０ａが譜面立て部材１８の係合ピン２４を係止したロック状態を維持するので、鍵盤蓋１２を楽器本体１内に収納しても、譜面立て部材１８が、板ばね２１のばね力によって天板６上に起立することがなく、天板６の収納凹部１９内に収納された状態を維持する。
【００６７】
このように、この鍵盤楽器の譜面立て構造においても、実施形態１と同様、楽器本体１内に鍵盤蓋１２をスライドさせて収納すると、この収納された鍵盤蓋１２によってロック部材２２が楽器本体１の天板６上に設けられた譜面立て部材１８に対する係止を解除するので、楽器本体１上に譜面立て部材１８を簡単に且つ容易に回転させて起立させることができる。
【００６８】
また、鍵盤蓋１２をスライドさせて鍵盤部７を覆った際には、譜面立て部材１８を楽器本体１の天板６上に横倒させて配置することができるので、譜面立て部材１８を楽器本体１上に自然な状態で違和感がなく、良好に配置することができる。このため、譜面立て部材１８および鍵盤蓋１２の操作性が良く、外観的にもデザイン的にも好ましいものを提供することができる。
【００６９】
この場合にも、譜面立て部材１８は、楽器本体１の天板６における収納凹部１９内に設けられた固定軸２０に上下方向に回転自在に取り付けられていると共に、板ばね２１によって起立する方向に付勢されているので、鍵盤蓋１２を楽器本体１内に収納して、ロック部材２２による譜面立て部材１８に対するロックを解除するだけで、板ばね２１のばね力によって譜面立て部材１８を自動的に天板６上に起立させることができる。また、鍵盤蓋１２を引き出して鍵盤部７上を覆った際には、板ばね２１のばね力に抗して譜面立て部材１８を横倒するだけ、天板６の収納凹部１９内に簡単に収納することができる。
【００７０】
また、この譜面立て構造では、ロック部材４０が楽器本体１内に設けられた一対の保持部材４１にスライド可能に取り付けられ、このロック部材４０の上端部に設けられたフック部４０ａが譜面立て部材１８の係合ピン２４を係脱可能に係止し、ロック部材４０の下端部に設けられた当接突起４０ｂが鍵盤蓋１２によって押された際に、ロック部材４０がスライドしてフック部４０ａによる譜面立て部材１８に対する係止を解除する構成であるから、簡単な構造で、天板６の収納凹部１９内に収納された譜面立て部材１８の係合ピン２４をロック部材４０のフック部４０ａによって係脱可能に係止して確実にロックすることができ、また鍵盤蓋１２を楽器本体１内にスライドさせて収納するだけで、ロック部材４０による譜面立て部材１８に対するロックを確実に解除することができる。
【００７１】
また、この譜面立て構造では、ロック部材４０の上端部のフック部４０ａが譜面立て部材１８の係合ピン２４を係止する方向に向けてロック部材４０を付勢するばね部材４４を備えているので、譜面立て部材１８を横倒させて楽器本体１の天板６の収納凹部１９内に収納した際に、譜面立て部材１８の係合ピン２４がロック部材４０のフック部４０ａをばね部材４４のばね力に抗して乗り越えることにより、ロック部材４０のフック部４０ａがばね部材４４のばね力によって譜面立て部材１８の係合ピン２４を確実に係止させることができ、これにより譜面立て部材１８の操作性が良いばかりか、譜面立て部材１８を楽器本体１の天板６の収納凹部１９内に収納した状態で確実に保持することができる。
【００７２】
さらに、この譜面立て構造では、実施形態１と同様、鍵盤蓋１２にそのスライド方向と直交する方向に移動可能に設けられたロック解除選択部材２６が、ロック部材４０によるロックを解除させるロック解除部３１と、ロック部材４０によるロックを解除しない非ロック解除部３０とを備えているので、ロック解除選択部材２６をスライドさせて、ロック解除部３１と非ロック解除部３０とのいずれかを選択することにより、実施形態１と同様、鍵盤蓋１２を楽器本体１内に収納した際に、譜面立て部材１８に対するロック部材４０によるロックを解除する状態とロックを解除しない状態とのいずれかを選択することができる。
【００７３】
なお、上述した実施形態１、２では、鍵９が押鍵操作された際にハンマー部材１０が回転して鍵９にアクション荷重を付与する構成の鍵盤部７を備えた鍵盤楽器に適用した場合について述べたが、必ずしも鍵盤部はハンマー部材１０を備えている必要はなく、ハンマー部材１０を備えていない簡易型の鍵盤部を備えた鍵盤楽器にも適用することができる。
【符号の説明】
【００７４】
１  楽器本体
２  底板
３  前板
４  後板
５  側板
６  天板
７  鍵盤部
１２  鍵盤蓋
１３  前側ガイド部
１４  後側ガイド部
１５  ガイド軸
１６  ピニオンギア
１９  収納凹部
２０  固定軸
２１  板ばね
２２、４０  ロック部材
２２ａ、４０ａ  フック部
２２ｂ、４０ｂ  当接突起
２３  支持軸
２４  係合ピン
２５、４４  ばね部材
２６  ロック解除選択部材
２９  切込み部
３０  非ロック解除部
３１  ロック解除部
【図１】
0005510889.tif 000002
【図２】
0005510889.tif 000003
【図３】
0005510889.tif 000004
【図４】
0005510889.tif 000005
【図５】
0005510889.tif 000006
【図６】
0005510889.tif 000007
【図７】
0005510889.tif 000008
【図８】
0005510889.tif 000009
【図９】
0005510889.tif 000010
【図１０】
0005510889.tif 000011
【図１１】
0005510889.tif 000012
【図１２】
0005510889.tif 000013
【図１３】
0005510889.tif 000014
【図１４】
0005510889.tif 000015
【図１５】
0005510889.tif 000016
【図１６】
0005510889.tif 000017